【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】撮像機能付き画像表示装置及びその制御方法
【手続補正２】
【補正対象書類名】明細書
【補正対象項目名】特許請求の範囲
【補正方法】変更
【補正の内容】
【特許請求の範囲】
【請求項１】  画像を表示する表示画面を有する画像表示部と、
前記画像表示部に設けられ、前記表示画面の前方に位置する被写体を撮像する撮像部とを有し、
前記撮像部は、前記表示画面の外側部に分散配置された複数の撮像手段と、前記複数の撮像手段によって得られた撮像データから前記被写体の画像を修正する画像処理回路とを有する、
ことを特徴とする撮像機能付き画像表示装置。
【請求項２】  前記画像処理回路は、前記複数の撮像手段によって得られた撮像データから前記被写体の二次元画像情報と奥行き情報を算出することを特徴とする請求項１記載の撮像機能付き画像表示装置。
【請求項３】  前記複数の撮像手段が表示画面の少なくとも上下両側に配置されていることを特徴とする請求項１記載の撮像機能付き画像表示装置。
【請求項４】  前記複数の撮像手段が表示画面の少なくとも左右両側に配置されていることを特徴とする請求項１記載の撮像機能付き画像表示装置。
【請求項５】  前記複数の撮像手段が表示画面を中心とする対称位置に配置されていることを特徴とする請求項１記載の撮像機能付き画像表示装置。
【請求項６】  設置型の装置本体を有し、前記装置本体に画像表示部を開閉可能に設けたノートパソコン装置であることを特徴とする請求項１記載の撮像機能付き画像表示装置。
【請求項７】  設置型の装置本体を有し、前記装置本体上に画像表示部を設けたデスクトップパソコン装置であることを特徴とする請求項１記載の撮像機能付き画像表示装置。
【請求項８】  携帯可能な装置本体を有し、前記装置本体の一主要面に画像表示部を設けたモバイル装置であることを特徴とする請求項１記載の撮像機能付き画像表示装置。
【請求項９】  前記複数の撮像手段が固体撮像素子を用いたカメラモジュールであることを特徴とする請求項１記載の撮像機能付き画像表示装置。
【請求項１０】 画像を表示する表示画面を有する画像表示部と、
前記画像表示部に設けられ、前記表示画面の前方に位置する被写体を撮像する撮像部とを有する撮像機能付き画像表示装置の制御方法であって、
前記表示画面の外側部に複数の撮像手段を分散配置し、前記複数の撮像手段によって得られた撮像データから前記被写体の画像を修正する画像処理を実行する、
ことを特徴とする撮像機能付き画像表示装置の制御方法。
【請求項１１】 前記画像処理は、前記複数の撮像手段によって得られた撮像データから前記被写体の二次元画像情報と奥行き情報を算出する処理であることを特徴とする請求項１０記載の撮像機能付き画像表示装置の制御方法。
【請求項１２】 前記複数の撮像手段を表示画面の少なくとも上下両側に配置することを特徴とする請求項１０記載の撮像機能付き画像表示装置の制御方法。
【請求項１３】 前記複数の撮像手段を表示画面の少なくとも左右両側に配置することを特徴とする請求項１０記載の撮像機能付き画像表示装置の制御方法。
【請求項１４】 前記複数の撮像手段を表示画面を中心とする対称位置に配置することを特徴とする請求項１０記載の撮像機能付き画像表示装置の制御方法。
【手続補正３】
【補正対象書類名】明細書
【補正対象項目名】０００１
【補正方法】変更
【補正の内容】
【０００１】
【発明の属する技術分野】
本発明は、各種パソコン（ＰＣ）やモバイル端末等のような画像表示部と撮像部とを具備した撮像機能付き画像表示装置及びその制御方法に関する。
【手続補正４】
【補正対象書類名】明細書
【補正対象項目名】０００９
【補正方法】変更
【補正の内容】
【０００９】
そこで本発明の目的は、ＰＣやモバイル端末等をＴＶ電話やＴＶ会議システム等で用いる場合に、使用者の適正に正視した画像を相手装置に伝送することが可能な撮像機能付き画像表示装置及びその制御方法を提供することにある。
また本発明の他の目的は、広画角の撮影、奥行き感の演出などの処理が可能な撮像機能付き画像表示装置及びその制御方法を提供することにある。
【手続補正５】
【補正対象書類名】明細書
【補正対象項目名】００１０
【補正方法】変更
【補正の内容】
【００１０】
【課題を解決するための手段】
本発明は前記目的を達成するため、画像を表示する表示画面を有する画像表示部と、前記画像表示部に設けられ、前記表示画面の前方に位置する被写体を撮像する撮像部とを有し、前記撮像部は、前記表示画面の外側部に分散配置された複数の撮像手段と、前記複数の撮像手段によって得られた撮像データから前記被写体の画像を修正する画像処理回路とを有することを特徴とする。
また本発明は、画像を表示する表示画面を有する画像表示部と、前記画像表示部に設けられ、前記表示画面の前方に位置する被写体を撮像する撮像部とを有する撮像機能付き画像表示装置の制御方法であって、前記表示画面の外側部に複数の撮像手段を分散配置し、前記複数の撮像手段によって得られた撮像データから前記被写体の画像を修正する画像処理を実行することを特徴とする。
【手続補正６】
【補正対象書類名】明細書
【補正対象項目名】００１１
【補正方法】変更
【補正の内容】
【００１１】
本発明の撮像機能付き画像表示装置及びその制御方法では、複数の撮像手段を画像表示部の表示画面の外側部に分散して配置し、各撮像手段によって得られた複数の撮像データから被写体の画像を修正して例えば三次元画像を得ることにより、表示画面に正体した被写体の画像を生成し、これを相手装置に伝送することができる。
したがって、ＰＣやモバイル端末等をＴＶ電話やＴＶ会議システム等で用いる場合に、表示画面上に邪魔な部材を配置することなく、使用者の適正に正視した画像を相手装置に伝送することが可能となり、よりリアルな会話を実現することができる。
また、複数の撮像データによって広画角の撮影や奥行き感の演出などの処理を行うことも可能となり、必要に応じた画像を提供することが可能となる。
【手続補正７】
【補正対象書類名】明細書
【補正対象項目名】００１２
【補正方法】変更
【補正の内容】
【００１２】
【発明の実施の形態】
以下、本発明による撮像機能付き画像表示装置及びその制御方法の実施の形態例について説明する。
本実施の形態例は、固体撮像素子を用いた撮像手段を複数用いて画像表示部の手前の使用者等の被写体の撮影を行い、複数の撮像データから三次元画像を得るようにした撮像機能付き画像表示装置を提供するものであり、特にブロードバンドネットワーク等を用いたＴＶ電話、ネット会議システムなどで、通信相手と目線が合った状態で会話をすることを可能とし、さらに、ソフトウエアにより、複数の撮像手段からの画像を合成し、高画角の画像を再生したり、あるいは、奥行き感を演出するなどの処理を可能とするものである。
【手続補正８】
【補正対象書類名】明細書
【補正対象項目名】００２４
【補正方法】変更
【補正の内容】
【００２４】
【発明の効果】
以上説明したように本発明の撮像機能付き画像表示装置及びその制御方法では、複数の撮像手段を画像表示部の表示画面の外側部に分散して配置し、各撮像手段によって得られた複数の撮像データから被写体の画像を修正することにより、表示画面に正体した被写体の画像を生成し、これを相手装置に伝送することができる。
したがって、ＰＣやモバイル端末等をＴＶ電話やＴＶ会議システム等で用いる場合に、表示画面上に邪魔な部材を配置することなく、使用者の適正に正視した画像を相手装置に伝送することが可能となり、目線を合わせた会話が可能となるので、よりリアルな会話を実現することができる。
また、複数の撮像データによって広画角の撮影や奥行き感の演出などの処理を行うことも可能となり、必要に応じた画像を提供することが可能となるので、例えばソフトウエア処理によって各種の画像加工を行い、エンターテインメント、セキュリテイ用途などの各種用途に適用可能である。